(57)【要約】【課題】種々の体液サンプル量を受容するための検体試験片であって、第１の絶縁層と、その第１の絶縁層の上に配置される第２の絶縁層と、その第１の絶縁層の下に配置される第３の絶縁層とを備える。【解決手段】第３の絶縁層は、第１の絶縁層および第２の絶縁層を越えて延在するプラットフォーム部と、上面とを有する。検体試験片はまた、第１の層と第２の層との間に配置される型どられたスペーサー層を有する。型どられたスペーサーは、サンプル受容チャンバと、プラットフォーム部に近接する第１のポートと、検体試験片の外側縁に第２のポートとを有する第１の絶縁層と第２の絶縁層との間のチャネルを規定する。さらに、第１のポートおよび第２のポートは、サンプル受容チャンバと流体連絡する。【選択図】図１
2010008411.tif 000002
【特許請求の範囲】
【請求項１】
種々の体液サンプル量を受け取り、前記体液サンプルの中の検体を測定するための検体試験片であって、前記検体試験片は、
第１の絶縁層と、
前記第１の絶縁層の上に配置される第２の絶縁層と、
前記第１の絶縁層の下に少なくとも部分的に配置される第３の絶縁層であって、前記第３の絶縁層は、
前記第１の絶縁層および前記第２の絶縁層の下に延在するプラットフォーム部であって、前記プラットフォーム部は上面を有するプラットフォーム部を備える第３の絶縁層と、
前記第１の絶縁層と前記第２の絶縁層との間に配置される型どられたスペーサー層であって、前記型どられたスペーサー層は、
前記第１の絶縁層と前記第２の絶縁層との間にチャネルを規定し、前記チャネルは、
前記チャネル内にサンプル受容チャンバと、
前記プラットフォーム部に近接する第１のポートと、
前記検体試験片の外側縁における第２のポートと、を有するスペーサー層とを備え、
前記第１のポートおよび前記第２のポートは、前記サンプル受容チャンバと流体連絡し、
前記プラットフォーム部の前記上面は、少なくとも５μｌの第１の体液サンプルを受容して、前記体液サンプルの少なくとも一部を、前記第１のポートを介して前記サンプル受容チャンバに移動させるように構成され、
前記第２のポートは、前記第１の体液サンプルよりも少ない量の第２の体液サンプルを受容して、前記第２の体液サンプルの少なくとも一部を前記サンプル受容チャンバに移動させるように構成される、検体試験片。
【請求項２】
前記第３の絶縁層はまた、前記第１の絶縁層および前記第２の絶縁層を越えて延在し、前記プラットフォーム部の近くに配置されるハンドル部を有する、請求項１に記載の検体試験片。
【請求項３】
前記プラットフォーム部の前記上面は、前記第１の体液サンプルの過剰な部分を保持するように構成される、請求項１に記載の検体試験片。
【請求項４】
第１の電極と、
第２の電極と、
をさらに含み、
前記第１の電極および前記第２の電極は、前記第１の絶縁層に配置され、
前記第１の電極および前記第２の電極は、前記第１の体液サンプルおよび前記第２の体液サンプルのいずれかにおける検体の電気化学ベースの測定のために構成される、請求項１に記載の検体試験片。
【請求項５】
前記第１の絶縁層に配置される第１の電極と、
前記第２の絶縁層に配置される第２の電極と、
をさらに含む、請求項１に記載の検体試験片。
【請求項６】
前記第２の体液サンプルは、前記第２のポートに近接して配置される指からしぼり出される血液サンプルである、請求項１に記載の検体試験片。
【請求項７】
前記第１の体液サンプルは、シリンジおよびピペットのうちの１つから前記プラットフォームの前記上面に受け取られた血液サンプルである、請求項１に記載の検体試験片。
【請求項８】
前記プラットフォーム部は、前記第１の体液サンプルの少なくとも一部を、前記第１のポートを介して、前記チャネルに侵入させるようにする所定の表面自由エネルギーを有する、請求項１に記載の検体試験片。
【請求項９】
過剰な量の前記第１の体液サンプルを吸収するように構成される、前記プラットフォーム部に配置される吸収性層をさらに含む、請求項１に記載の検体試験片。
【請求項１０】
前記プラットフォーム部は、前記第１の体液サンプルを前記プラットフォームの前記上面への適用に導くように構成される切り込みを有する、請求項１に記載の検体試験片。
【請求項１１】
前記プラットフォーム部は、約４ｍｍ２〜約５６ｍｍ２の範囲の領域を有する、請求項１に記載の検体試験片。
【請求項１２】
前記第１の体液サンプルは、少なくも２５μｌの体積を有し、前記第２の体液サンプルは、１μｌ未満の体積を有する、請求項１に記載の検体試験片。
【請求項１３】
前記第２のポートは、前記検体試験片の外側縁に存在する、請求項１に記載の検体試験片。
【請求項１４】
前記第２のポートは、前記検体試験片の近位端外側縁に存在する、請求項１に記載の検体試験片。
【請求項１５】
前記検体試験片は、検体の電気化学ベースの測定のために構成される、請求項１に記載の検体試験片。
【請求項１６】
前記検体試験片は、検体の比色分析ベースの測定のために構成される、請求項１に記載の検体試験片。
【発明の詳細な説明】
【技術分野】
【０００１】
本発明は、体液サンプルにおける検体を受容するための検体試験片に関する。
【背景技術】
【０００２】
体液サンプル（例えば、全血サンプル）における検体測定、例えば、検体検出および／または濃度測定は、今日の社会において重要性を増している。検体測定のためのアッセイにより、臨床検査室および家庭を含む、種々の環境における使用が見出されている。かかるアッセイの結果（「試験」ともいわれる）は、種々の医学的状態の診断および管理において大きな役割を果たす。医学的興味のある検体として、例えば、グルコースおよびコレステロールが挙げられる。検体測定の重要性に応えて、臨床的および家庭での使用の両方についての種々の検体検出プロトコルおよびデバイスが商業的に利用可能になっている。
【０００３】
検体検出デバイスの１つの種類は、体液サンプル（例えば、全血サンプル）におけるグルコースなどの検体の濃度を検出および／または測定するために電気化学ベースの方法を使用する検体試験片である。かかる電気化学ベースの方法の間、体液サンプルは、２つの電極、例えば、カウンター電極および作用電極を含む分析的試験片のサンプル受容チャンバに置かれる。検体は、サンプル受容チャンバ内で酸化還元剤との反応を許容されて、検体の濃度に対応する量で酸化性（または還元性）物質を形成する。次いで、存在する酸化性（または還元性）物質の量は、電気化学的に測定されて、最初の体液サンプルに存在する検体の量と関連付けられる。かかる従来の検体試験片は、例えば、特許文献１；特許文献２；特許文献３；および特許文献４（これらの各々は全体において本明細書に援用される）に記載されている。
【先行技術文献】
【特許文献】
【０００４】
【特許文献１】米国特許第５，７０８，２４７号明細書
【特許文献２】米国特許第５，９５１，８３６号明細書
【特許文献３】米国特許第６，２４１，８６２号明細書
【特許文献４】米国特許第６，２８４，１２５号明細書
【発明の概要】
【発明が解決しようとする課題】
【０００５】
本発明は、広範囲の体液サンプルにおいて種々の検体を測定する際の使用に適切である検体試験片を提供することを目的とする。
【課題を解決するための手段】
【０００６】
種々の体液サンプル量を受容して、本発明の実施形態に従う検体を測定するための検体試験片は、種々の利点を有する。例えば、検体試験片は、体液サンプル量が多い（例えば、５μｌより多く、典型的には２５μｌより多い）組織的環境（例えば、病院または臨床）、および体液サンプル量が少ない（例えば、５μｌより少なく、多くの場合、１μｌ未満である）家庭環境の両方で使用され得る。さらに、本発明の実施形態はまた、多くの体液サンプルの適用および／または過剰な体液サンプルを含む構成についての視覚的誘導を提供する。過剰な体液サンプルのかかる封じ込めは、関連する機器（例えば、計量器）および職員の体液の汚染を回避する点において有益である。
【０００７】
本発明の実施形態は、広範囲の体液サンプルにおいて種々の検体を測定する際の使用に適切であり、全血、血漿、血清、間質液、またはそれらの誘導体における検体を測定する際の使用に特に適切であり、ここで、特定の目的の検体はグルコースである。
【０００８】
本明細書に組み込まれ、本明細書の一部を構成する添付の図面は、本明細書の詳細と共に、本発明の現在好ましい実施形態を例示し、本発明の特徴を説明するのに役立つ。
【図面の簡単な説明】
【０００９】
【図１】本発明の実施形態に従う、検体試験片の簡略化して、拡大した斜視図であり、破線は種々の構成要素の配置を示す。
【図２】図１の検体試験片の簡略化した斜視図である。
【図３】図１の検体試験片の一部の簡略化した断面図である。
【図４】図１の検体試験片の簡略化した底面図であり、破線は、図４を透視した観点から隠れていた特徴を選択的に示す。
【図５】図１の検体試験片の簡略化した上面図であり、破線は、図５を透視した観点から隠れていた特徴を選択的に示す。
【図６】本発明の別の実施形態に従う、検体試験片の簡略化した上面図である。
【図７】図７Ａは、本発明のさらに別の実施形態に従う、検体試験片の簡略化して、拡大した斜視図であり、図７Ａの破線は、種々の構成成分の配置を示す。図７Ｂは、本発明のさらに別の実施形態に従う、検体試験片の簡略した斜視図である。
【図８】図７の検体試験片の簡略した上面図であり、破線は、図８の上面図の観点から隠れていた特徴を選択的に示す。
【図９】本発明の実施形態に従う、検体試験片を製造するための方法の段階を示すフローチャートである。
【図１０】本発明の実施形態に従う、体液サンプルにおける検体を測定するための方法の段階を示すフローチャートである。
【発明を実施するための形態】
【００１０】
以下の詳細な説明は、同様の数字が同様の要素を示す図面を参照して読まれるべきである。必ずしも縮尺通りであるわけではない図面は、例示のみの目的のために選択された例示的な実施形態を示し、本発明の範囲を限定するものではない。詳細な説明は、例のみを示し、本発明の原理を限定するものではない。この記載により、当業者は、明確に本発明を実施し、使用できる。この記載は、現在、本発明を実施する最適な方法であると考えられているものを含む、本発明のいくつかの実施形態、適応、バリエーション、代替物および使用を示す。
【００１１】
本明細書で使用される場合、任意の数値または範囲についての用語「約」または「およそ」は、本明細書に記載される意図される目的について機能するための構成成分または方法の一部もしくは集合を許容する適切な許容差を示す。さらに、本明細書に使用されるように、用語「患者」、「宿主」および「被験体」とは、任意のヒトまたは動物被験体を指し、ヒトの患者における本発明の使用が好ましい実施形態を示すが、ヒトの使用に対してシステムまたは方法を限定することを意図しない。
【００１２】
図１〜図５を参照して、種々の体液サンプル量を受容して、それらの中の検体を測定するための検体試験片１００は、第１の絶縁層１０２（その上に配置される第１の導電層１０３を備える）、第１の絶縁層１０２の上に配置される第２の絶縁層１０４（その上に配置される第２の導電層１０５を備える）、および第１の絶縁層１０２の下に少なくとも部分的に配置される第３の絶縁層１０６を備える。
【００１３】
第３の絶縁層１０６は、第１の絶縁層１０２および第２の絶縁層１０４の下に延在するプラットフォーム部１０８を備える。プラットフォーム部１０８は、体積で少なくとも５μｌ、好ましくは、体積で２５μｌより多い体液サンプルを受容するように構成される上面１１０を有する。かかる比較的多い量は、典型的に、組織的環境において使用される。第３の絶縁層１０６はまた、第１の絶縁層１０２および第２の絶縁層１０４の下に延在して、プラットフォーム部１０８の近くに配置されるハンドル部１１２を有する。
【００１４】
検体試験片１００はまた、第１の絶縁層１０２と第２の絶縁層１０４との間に挟まれた型どられた（ｐａｔｔｅｒｎｅｄ）スペーサー層１１４を備える。型どられたスペーサー層１１４は、第１の絶縁層１０２と第２の絶縁層１０４との間のチャネル１１６を規定するのに役立つ。さらに、図１および図２に明確に示すように、検体試験片１００のサンプル受容チャンバ１１８は、型どられたスペーサー層１１４の２つの内側縁、および第１の導電層１０３（その上に試薬層１３２を備える）と第２の導電層１０５との間の毛管スペースによって形成される。さらに、チャネル１１６は、プラットフォーム部１０８に近接する第１のポート１２０、および検体試験片１００の第１の外側縁１２４において第２のポート１２２を有する。第１のポート１２０および第２のポート１２２が、サンプル受容チャンバ１１８と流体連絡することは、留意されるべきである。第１の外側縁１２４に加えて、検体試験片１００はまた、遠位端１２６、近位端１２８、および第２の外側縁１３０を有する。
【００１５】
一旦、本発明を開示すると、当業者は、図１〜図３の実施形態において、サンプル受容チャンバ１１８およびチャネル１１６は、本質的に同様の特徴であることを理解するだろう。しかしながら、当業者はまた、サンプル受容チャンバ１１８がまた、第１の導電層１０３および第２の導電層１０５それぞれの形状および配置に依存して、チャネル１１６の下位部分（ｓｕｂ−ｐｏｒｔｉｏｎ）になることも理解するだろう。
【００１６】
プラットフォーム部１０８の上面１１０は、少なくとも５μｌ（図示せず）の第１の体液サンプルを受容して、その第１の体液サンプルの少なくとも一部を、第１のポート１２０を介してサンプル受容チャンバ１１８に移動させるように構成される。さらに、第２のポート１２２は、第１の体液サンプルより少ない量の第２の体液サンプル（これも図示せず）を受容して、第２の体液サンプルの少なくとも一部を、サンプル受容チャンバ１１８に移動させるように構成される。検体試験片１００はまた、図１に示すように、試薬層１３２を備える。
【００１７】
一旦、本発明を開示すると、当業者は、検体試験片１００の構成が、比較的多い量（すなわち、５μｌより多く、好ましくは、２５μｌより多い）の第１の体液サンプル、または少ない量（例えば、５μｌ未満、または好ましくは、１μｌ未満）の第２の体液サンプルのいずれかにおいて検体測定を有益に提供することを理解するだろう。ここで、本発明の実施形態に従う検体試験片は、異種の体液サンプル量と有益に適合し得、多い体液サンプル量について組織的環境、および比較的少ない体液サンプル量について家庭での両方において使用され得る。
【００１８】
図１〜図５の実施形態において、第１の導電層１０３は、第１の絶縁層１０２の内面１３４にコーティングされる。第２の導電層１０５は、第２の絶縁層１０４の内面１３６にコーティングされる。第１の導電層（１０３）および第２の導電層（１０５）は、それぞれ、第１の電極１３８および第２の電極１４０を形成するのに役立ち（図３を参照のこと）、サンプル受容チャンバ１１８を縁どる。第１の導電層１０３はまた、第１の接続トラック１４２および第１の導体パッド１４４を形成するが、一方、第２の導電層１０５は、第２の接続トラック１４５および第２の導電パッド１４６を形成する。
【００１９】
第１の絶縁層１０２および第２の絶縁層１０４は、例えば、プラスチック（例えば、ＰＥＴ、ＰＥＴＧ、ポリイミド、ポリカーボネート、ポリスチレン）、シリコン、セラミックまたはガラス材料から形成されてもよい。例えば、第１の絶縁層および第２の絶縁層は、７ミル（約１７７．８μｍ）のポリエステル基材から形成されてもよい。
【００２０】
図１〜図５の実施形態において、第２の電極１４０とともに第１の電極１３８は、当業者に公知の任意の適切な電気化学ベースの技術を用いて体液サンプル（例えば、全血サンプルにおけるグルコースなど）における検体濃度を電気化学的に測定するように構成される。第１の接続トラック１４２は、第１の電極１３８を第１の導体パッド１４４に電気的に接続する第１の導電層１０３の一部である。第１の導体パッド１４４は、関連する計量器に動作可能に接続するように構成される。第２の導体パッドは１４６もまた、関連する計量器に動作可能に接続するように構成される。
【００２１】
図１は、第１の導電層（１０３）および第２の導電層（１０５）の各々において形成される１つの電極のみを示すが、当業者は、１つの電極より多くが、例えば、エッチングまたはパターン化された堆積技術を用いてかかる導電層から形成され得ることを理解する。代替の実施形態において、第１の電極および第２の電極は、同一平面上の配置において構成されてもよい。
【００２２】
所望の場合、第１の導電層１０３および／または第２の導電層１０５は、２−メルカプトエタンスルホン酸（ＭＥＳＡ）を含む溶液でコーティングされて、次いで、乾燥されてもよい。かかるＭＥＳＡコーティングの１つの目的は、第１の導電層（１０３）および／または第２の導電層（１０５）の親水性を作り出し、また、第１の導電層（１０３）および／または第２の導電層（１０５）が、周囲空気における不用意な有機化合物により汚染することを保護することである。かかる親水性表面はまた、体液サンプルをサンプル受容チャンバに満たすのに有益であり得る。
【００２３】
第１の導電層１０３および第２の導電層１０５は、それぞれ、例えば、金、パラジウム、炭素、銀、白金、酸化スズ、イリジウム、インジウム、またはそれらの組み合わせ（例えば、インジウムでドープされた酸化スズ）などの任意の適切な導電材料から形成され得る。さらに、任意の適切な技術が使用されて、例えば、スパッタリング、エバポレーション、化学めっき、スクリーン印刷、密着焼付け、またはグラビア印刷を含む、第１の導電層および第２の導電層を形成する。例えば、第１の導電層１０３は、スパッタパラジウム層であってもよく、第２の導電層１０５は、スパッタ金層であってもよい。第１の導電層および第２の導電層の厚さは、例えば、約１０ナノメートル以上、好ましくは約１０ナノメートル〜約８０ナノメートルの範囲であってもよい。
【００２４】
図１〜図５に示すように、型どられたスペーサー層１１４は、第１の絶縁層１０２（その上に第１の導電層１０３を備える）および第２の絶縁層１０４（その上に第２の導電層１０５を備える）を一緒に結合するのに役立つ。型どられたスペーサー層１１４は、例えば、両面粘着層、加熱によって活性化される接着層、または熱硬化性接着プラスチック層であってもよい。実施形態において、型どられたスペーサー層１１４は、ポリエステルシートの反対側にコーティングされる両面シアノアクリル粘着剤である。別の実施形態において、型どられたスペーサー層１１４は、例えば、比較的高分子量を有する直線的に飽和されたコポリエステル樹脂であるＶｉｔｅｌなどの熱可塑性シートである。熱可塑性は７０℃で積層されて、２つの層を一緒に結合してもよい。
【００２５】
型どられたスペーサー層１１４は、例えば、約１ミクロン〜約５００ミクロン、好ましくは約１０ミクロン〜約４００ミクロン、より好ましくは約４０ミクロン〜約２００ミクロンの範囲の厚さを有してもよい。型どられたスペーサー層１１４の厚さが、第１の電極１３８と第２の電極１４０との間の毛管寸法距離を規定することは留意するべきである（特に図３を参照のこと）。
【００２６】
チャネル１１６は、例えば、約０．０１ｃｍ２〜約０．２ｃｍ２、好ましくは約０．０２ｃｍ２〜約０．１５ｃｍ２、より好ましくは約０．０３ｃｍ２〜約０．０８ｃｍ２の範囲の領域を有してもよい。例示的な実施形態において、図４に示すように、チャネル１１６は、約１．２ミリメートルの幅Ｗおよび約３．５ミリメートルの長さＬを有してもよい。
【００２７】
試薬層１３２は、例えば、体液サンプルにおけるグルコースなどの検体と選択的に反応して、次いで、本発明の実施形態に従う検体試験片の電極で定量的に測定され得る電気活性種を形成する試薬の任意の適切な混合物であってもよい。従って、試薬層１３２は、少なくとも１つのメディエーターおよび酵素を含んでもよい。適切なメディエーターの例としては、フェリシアン化物、フェロセン、フェロセン誘導体、オスミウムビピリジル複合体、およびキノン誘導体が挙げられる。適切な酵素の例としては、グルコースオキシダーゼ、ピロロキノリンキノン（ＰＱＱ）補因子を用いるグルコースデヒドロゲナーゼ（ＧＤＨ）、ニコチンアミドアデニンジヌクレオチド（ＮＡＤ）補因子を用いるＧＤＨ、およびフラビンアデニンジヌクレオチド（ＦＡＤ）補因子を用いるＧＤＨが挙げられる。
【００２８】
試薬層１３２は、例えば、検体試験片１００の第１の電極および／または第２の電極上に適切な試薬処方物を調剤することによって製造され得る。試薬処方物を調剤後、乾燥プロセスは、試薬処方物から水を除去するように使用され得、それによって、試薬層１３２を形成する。試薬処方物の例示的な実施形態は、３３ｍＭシトラコ酸カリウム（ｐｏｔａｓｓｉｕｍ  ｃｉｔｒａｃｏｎａｔｅ）、ｐＨ６．８、０．０３３％プルロニック（Ｐｌｕｒｏｎｉｃ）Ｐ１０３、０．０１７％プルロニックＦ８７、０．８５ｍＭ  ＣａＣｌ２、３０ｍＭスクロース、２８６μＭ  ＰＱＱ、１５ｍｇ／ｍＬ  ＧＤＨ、および０．６Ｍ  フェリシアン化物を含んでもよい。プルロニックは、消泡剤および／または湿潤剤として機能し得るエチレンオキシドおよびプロピレンオキシドに基づいたブロックコポリマーである。試薬処方物をプリントするための例示的な実施形態は、導体層の上に約１５０μｍを平衡状態にする１３ゲージニードルの端部から調剤するプロセスである。
【００２９】
一実施形態において、試薬層１３２は、第１の電極１３８の領域よい大きい領域を有してもよい。結果として、型どられたスペーサー層１１４の一部は、試薬層１３２と重なって、接触してもよい。従って、試薬層１３２の一部は、型どられたスペーサー層１１４と第１の電極１３８との間にあるが、型どられたスペーサー層１１４は、第１の電極１３８に液体不透性シールを形成するように構成されてもよい。例えば、型どられたスペーサー層１１４は、試薬層１３２の一部と混ざり合ってもよいか、または部分的に溶解してもよく、それによって、操作可能な電極領域を規定するのに十分な第１の電極１３８に対する液体不透性結合を形成する。
【００３０】
上記のチャネル１１６の領域および型どられたスペーサー層１１４の厚さに基づいて、サンプル受容チャンバ１１８の体積は、約０．１μｌ〜５μｌ、好ましくは約０．２μｌ〜約３μｌ、より好ましくは約０．３μｌ〜約１μｌの範囲であってもよい。
【００３１】
プラットフォーム部１０８およびハンドル部１１２は、操作性の有益な増加を提供する。操作性とは、一般的に、容器から試験片を除去すること、試験片を関連する計量器に挿入すること、およびユーザーが体液で汚されずに使用された試験片を試験計量器から除去することを含む、検体試験片を操作するユーザーの能力をいう。
【００３２】
プラットフォーム部１０８は、例えば、約４ｍｍ２以上、好ましくは約５６ｍｍ２以上である領域を有してもよい。プラットフォーム部１０８は、約２ｍｍ以上、好ましくは約７ｍｍ以上の距離のために第１のポート１２０から外側に延在してもよい。
【００３３】
本発明に従う検体試験片の一実施形態において、プラットフォーム部の上面は、検体試験片のサンプル受容チャンバより低い親水性であるように構成され、その結果、毛管力は、チャネルを介してサンプル受容チャンバの充填を引き起こす。一旦、サンプル受容チャンバが、第１の体液サンプルの一部で満たされると、過剰な量の第１の体液サンプルは、プラットフォーム部に保持されてもよい。
【００３４】
体液サンプルが、病院、臨床的または他の組織環境で回収（例えば、吸引）される場合、比較的多い量の体液が、一般に、利用可能である。例えば、血液は、静脈穿刺によってシリンジを用いて吸引されてもよいか、または静脈もしくは動脈カテーテルを介して得られてもよい。この状況において、血液は、皮下注射針のニードル、シリンジまたはピペットの端部で比較的大きな滴の血液をしぼり出すことによって、分析的試験片に堆積されてもよい。シリンジまたはピペットを使用する場合、比較的小さな滴の血液をしぼり出すことは難しいことが留意されるべきである。ここで、少量は、例えば、約２０μｌ未満、好ましくは約５μｌ未満であってもよい。病院環境における典型的なシリンジまたはピペットは、かかる少量を分配するように設計されていない。さらに、典型的なシリンジまたはピペットは、分析的試験片の端部上のポートに誘導され得る懸滴を容易に作らない。従って、比較的大きな体液の滴のみを生成し得るシリンジ、ピペットチップまたは他のデバイスを用いる場合、上からプラットフォーム部（例えば、検体試験片１００）に投与され得る検体試験片により、投与プロセスが容易になり、台（ｃｏｕｎｔｅｒ−ｔｏｐ）、床またはユーザー上で分裂する体液の可能性を減少させる。さらに、一部の状況において、ユーザーは、対照溶液を分的試験片に適用することを所望してもよい。従来の対照溶液は、対照溶液の比較的大きな滴を生じる分注チップを用いて容器に保存される。かかる対照溶液の比較的大きな滴は、分析的試験片の端部上のポートに適用するのは困難であり得るが、本発明の実施形態に従う分析的試験片のプラットフォーム部に容易に適用できる。
【００３５】
病院環境とは対照的に、比較的少ない量の体液サンプルは、家庭環境において一般に利用可能である。例えば、血液は、ユーザーの指先または代替の標的部位（例えば、前腕、掌または大腿部）を刺すランセットデバイス（ｌａｎｃｉｎｇ  ｄｅｖｉｃｅ）を用いて吸引され得る。次いで、比較的小さい血液の滴は、ユーザーの皮膚層からしぼり出されてもよい。指先を用いる場合、ユーザーは、懸滴を作り出し、指先を動かして、第２の（少ない）体液サンプルとして懸滴を検体試験片に適用することができる。前腕などの代替の部位を用いる場合、ユーザーは、典型的に、関連する計量器に挿入されるか、または結合される試験片を、しぼり出される血液サンプルに動かす。本発明者らは、少しの量の体液が、分析的試験片の端部（例えば、図４および図５に示す第２のポート）に配置されるポートに容易に適用されることを発見した。かかる実施形態において、指からしぼり出される血液は、第２のポートに隣接して置かれて、サンプル受容チャンバを満たすことができる。かかる使用において、第２のポートは、液体が侵入するための入口ポートとして作用して、第１のポートは、空気が排出するための出口／排出ポートとして作用することができる。
【００３６】
ユーザーは試験すること、または試験されることを必要とする場合があるため、組織的環境（例えば、病院）または家庭環境のいずれかにおいて、本発明の実施形態に従う分析的試験片は、異種（異なる）体液サンプル量の使用を提供する構成に起因して多用性がある。
【００３７】
図６を参照して、種々の体液サンプル量を受容して、その中に検体を測定するための検体試験片２００が示される。検体試験片２００は、以下に示す２つのさらなる特徴（すなわち、切り込みおよび２つの体液吸収パッド）の追加を除いて、図１〜図５の検体試験片１００と同一である。従って、検体試験片２００の多くの要素は、図１〜５から同様の番号を用いて番号付けられ、簡略化するために、さらにここで記載しない。
【００３８】
検体試験片２００は、プラットフォームの中に形成される切り込み２０２を有するプラットフォーム部１０８、およびそのプラットフォーム上に配置される２つの体液吸収パッド２０４を備える（図６を参照のこと）。体液吸収パッド２０４は、プラットフォーム部１０８に受け取られるが、検体試験片２００のサンプル受容チャンバに移動されない過剰な量の第１の（多くの）体液（図示せず）を吸収して、保持するように構成される。体液吸収パッド２０４の有益な機能は、検体試験片２００の使用の間、体液をユーザーまたは他の不用意な位置に移動するあらゆる可能性を減少させることである。切り込み２０２の目的は、ユーザーが、検体試験片２００上の比較的多い量の体液サンプルを投与することに関して、ユーザーに対する概略的な視覚的誘導を提供することである。
【００３９】
図７Ａ、図７Ｂ、および図８を参照して、本発明の別の実施形態に従う、種々の体液サンプル量を受容して、その中の検体を測定するための検体試験片３００を示す。検体試験片３００は、（ｉ）ハンドル部１１２がないこと、および（ｉｉ）検体試験片３００は、第２のポート１２２が検体試験片３００（さらに後述する）の近位端外側縁にあるように構成されることを除いて、図１〜図５の検体試験片１００と本質的に同様である。従って、検体試験片３００の要素は、図１〜５から同様の数字を用いて番号付けされ、簡略化のために、かかる要素はさらに記載されない。
【００４０】
上記のように、検体試験片３００の第２のポート１２２は、検体試験片３００の近位端外側縁３９９に配置される。検体試験片の近位端外側縁において第２のポート１２２を配置することは、使用者の指先などの標的部位からしぼり出される体液サンプルを含む検体試験片を適用する使用者のために、容易に位置を確認できるポートを提供することに関して有益である。すなわち、理論に束縛されずに、一部のユーザーは、分析的試験片の外側端に配置される第２のポートを見つけることより容易に、分析的試験片の近位端外側縁に配置される第２のポートの位置を確認できると推定される。
【００４１】
図１〜図８は、電気化学ベースの検体測定のために構成される検体試験片を示しているが、一旦、本発明が開示されると、当業者は、本発明の実施形態に従う検体試験片がまた、比色分析技術または任意の他の適切な検体測定技術を介して検体測定のために構成されることを理解するだろう。
【００４２】
図９は、本発明の実施形態に従う検体試験片を製造するための方法４００の段階を示すフローチャートである。方法４００は、例えば、図１〜図５、図６、図７Ａ、図７Ｂおよび図８に関する上記の検体試験片を製造するために使用され得る。
【００４３】
方法４００は、工程４１０において、第１の絶縁層と第２の絶縁層との間に型どられたスペーサー層を配置することを含む。工程４１０は、第２の絶縁が、第１の絶縁層の上に配置され、型どられたスペーサー層が、第１の絶縁層と第２の絶縁層との間にチャネルを規定するように成される。さらに、チャネルは、その中にサンプル受容チャンバ、第１のポートおよび第２のポートを有する。
【００４４】
方法４００はまた、工程４２０に示すように、第３の絶縁層を第１の絶縁層に連結して、第３の絶縁層が、第１の絶縁層の下に少なくとも部分的に配置されることを含む。
【００４５】
方法４００において、第３の絶縁層は、第１の絶縁層および第２の絶縁層を越えて延在し、第１のポートに近接する上面を有するプラットフォーム部を備える。さらに、（ｉ）第１のポートおよび第２のポートは、サンプル受容チャンバと流体連絡し、（ｉｉ）プラットフォーム部の上面は、少なくとも５μｌの第１の体液サンプルを受容して、第１の体液サンプルの一部でサンプル受容チャンバを満たすように構成され、（ｉｉｉ）第２のポートは、第１の体液サンプルより少ない量の第２の体液サンプルを受容して、第２の体液サンプルの一部でサンプル受容チャンバを満たすように構成される。
【００４６】
一旦、本発明を開示すると、当業者は、方法４００を、本発明の検体試験片に関して、本明細書に記載される任意の有益な特徴および特性を有する検体試験片の製造を生じる工程を含むように容易に改変し得ること理解するだろう。
【００４７】
図１０は、本発明の実施形態に従う、体液サンプル（例えば、全血サンプル）における検体（例えば、グルコース）を測定するための方法５００の段階を示すフローチャートである。方法５００に関して、用語「測定する」とは、検出および／または濃度測定をいう。
【００４８】
方法５００は、工程５１０に示すように、例えば、全血などの体液サンプルを得る工程を含む。体液サンプルは、特に、組織的環境および家庭環境に関して、本明細書に記載されるものを含む、当業者に公知の任意の適切な技術を用いて得られ得る。
【００４９】
続いて、体液サンプルは、検体試験片に適用される（工程５２０を参照のこと）。一旦、本発明が開示されると、当業者は、体液サンプルが、図１〜図５、図６、図７Ａおよび図８に関して、例えば、上記のものを含む本発明の実施形態に従う検体試験片に適用され得ることを理解するだろう。適用する工程は、体液サンプルの量に依存して、検体試験片の第２のポートおよびプラットフォーム部のうちの１つに体液サンプルを適用する工程を含む。
【００５０】
工程５３０において、適用される体液サンプルは、検体試験片のサンプル受容チャンバに移動される。次いで、工程５４０において、体液サンプルにおける検体は、例えば、電気化学ベースの技術を用いて測定される。
【００５１】
概して、方法５００において使用される検体試験片は、サンプル受容チャンバと流体連絡し、検体試験片のプラットフォーム部に近接する第１のポートを備える。さらに、プラットフォーム部は、少なくとも５μｌの第１の体液サンプルを受容して、第１の体液サンプルの少なくとも一部を第１のポートを介してサンプル受容チャンバに移動させるように構成される。検体試験片はまた、サンプル受容チャンバと流体連絡する上述の第２のポートおよび検体試験片の外側端を備え、その第２のポートは、第１の体液サンプルより少ない量の第２の体液サンプルを受容して、第２の体液サンプルの少なくとも一部をサンプル受容チャンバに移動させるように構成される。
【００５２】
一旦、本発明を開示すると、当業者は、第１の体液サンプルが、比較的「多い」サンプルであり、第２の体液サンプルが、比較的「少ない」サンプルであるとみなされ得ることを理解するだろう。さらに、当業者はまた、ユーザーが、第１の（多い）体液サンプルまたは第２の（少ない）体液サンプルのいずれかを適用するが、第１の体液サンプルおよび第２の体液サンプルの両方を同じ分析的試験片に適用しないことを理解するだろう。
【００５３】
方法５００は、当業者によって容易に改変されて、本発明の実施形態および本明細書の記載に従う検体試験片の技術、利点および特徴のいずれかを組み込んでもよい。
【００５４】
本発明の好ましい実施形態を示し、本明細書に記載しているが、かかる実施形態が例示のみで提供されていることは当業者には明らかであろう。当業者は、多くの改変、変更および置換を、本発明から逸脱せずに想到するだろう。本明細書に記載される本発明の実施形態に対する種々の代替は、本発明を実施する際に使用され得る。添付の特許請求の範囲が本発明の範囲を規定し、従って、これらの特許請求の範囲の範囲内の方法および構造ならびにそれらの等価物は、本発明に含まれる。
【図１】
2010008411.tif 000003
【図２】
2010008411.tif 000004
【図３】
2010008411.tif 000005
【図４】
2010008411.tif 000006
【図５】
2010008411.tif 000007
【図６】
2010008411.tif 000008
【図７】
2010008411.tif 000009
【図８】
2010008411.tif 000010
【図９】
2010008411.tif 000011
【図１０】
2010008411.tif 000012
【外国語明細書】
2010008411000001.pdf
2010008411000002.pdf
2010008411000003.pdf
2010008411000004.pdf